(57)【要約】【課題】室内において携帯情報端末と室内装置とを接続し、携帯情報端末及び室内装置をより効率的に利用するための室内通信用中継装置、室内通信システム及び室内通信方法を提供する。【解決手段】室内に設けられた室内表示装置と、室内に持ち込まれる携帯情報端末と、の間の通信を室内で中継する室内通信中継装置が提供される。室内表示装置は、第１表示部、第１入力部及び第１処理部を有す。携帯情報端末は、第２表示部、第２入力部及び第２処理部を有す。第２処理部は、第１、第２表示部に、第１、第２入力部への入力信号にそれぞれ基づき互いに異なる第１、第２表示オブジェクトを表示させる。室内通信中継装置は、第１表示部への第１表示信号を第２処理部から第１処理部に向かって転送し、第１入力部への入力信号を第１処理部から第２処理部に向かって転送し、接続を認証する中継装置被認証部を備える。【選択図】図１
2011166290.tif 000002
【特許請求の範囲】
【請求項１】
室内に設けられた室内表示装置と、前記室内に持ち込まれる携帯情報端末と、の間の通信を前記室内で中継する室内通信中継装置であって、
前記室内表示装置は、
第１表示部と、
第１入力部と、
前記第１表示部へ第１表示信号を出力し、前記第１入力部に入力された第１入力信号が入力される第１処理部と、
を有し、
前記携帯情報端末は、
第２表示部と、
第２入力部と、
前記室内の外との通信を行う通信部と、
前記第１表示部へ出力される前記第１表示信号を生成し、第２表示信号を生成して前記第２表示信号を前記第２表示部に出力し、前記通信部の動作を制御し、前記第１入力信号に基づく信号及び前記第２入力部に入力された第２入力信号が入力され、前記第１処理部よりも高い処理機能を有し、前記第１表示部及び前記第２表示部に、前記第１入力信号に基づいた第１表示オブジェクトと、前記第２入力信号に基づき、前記第１表示オブジェクトとは異なる大きさ、形状、色、明るさ及び時間変化の少なくともいずれかを有する第２表示オブジェクトと、を表示させる第２処理部と、
を有し、
前記室内通信中継装置は、前記第１表示信号を前記第２処理部から前記第１処理部に向かって転送し、前記第１入力信号を前記第１処理部から前記第２処理部に向かって転送し、前記室内通信中継装置と前記室内表示装置との接続を認証する中継装置被認証部を備えたことを特徴とする室内通信中継装置。
【請求項２】
車両に設けられた車両情報入手部と、前記車両の室内に持ち込まれる携帯情報端末と、の間の通信を前記室内で中継する室内通信中継装置であって、
前記車両情報入手部は、前記車両の走行制御装置に関する情報、前記車両の運転補助装置に関する情報、及び、前記車両の車体状態に関する情報の少なくともいずれかを含む車両情報を入手し、
前記携帯情報端末は、
表示部と、
入力部と、
前記室内の外との通信を行う通信部と、
前記表示部と、前記入力部と、前記通信部と、を制御する処理部と、
を有し、
前記室内通信中継装置は、前記車両情報入手部によって入手された前記車両情報を、前記車両情報入手部から前記処理部に向かって転送し、前記室内通信中継装置と前記車両情報入手部との接続を認証する中継装置被認証部を備えたことを特徴とする室内通信中継装置。
【請求項３】
室内に設けられ、
第１表示部と、
第１入力部と、
前記第１表示部へ第１表示信号を出力し、前記第１入力部に入力された第１入力信号が入力される第１処理部と、
を有する室内表示装置と、
前記室内に持ち込まれ、
第２表示部と、
第２入力部と、
前記室内の外との通信を行う通信部と、
前記第１表示部へ出力される前記第１表示信号を生成し、第２表示信号を生成して前記第２表示信号を前記第２表示部に出力し、前記通信部の動作を制御し、前記第１入力信号に基づく信号及び前記第２入力部に入力された第２入力信号が入力され、前記第１処理部よりも高い処理機能を有し、前記第１表示部及び前記第２表示部に、前記第１入力信号に基づいた第１表示オブジェクトと、前記第２入力信号に基づき、前記第１表示オブジェクトとは異なる大きさ、形状、色、明るさ及び時間変化の少なくともいずれかを有する第２表示オブジェクトと、を表示させる第２処理部と、
を有する携帯情報端末と、
前記室内表示装置と前記携帯情報端末との間の通信を前記室内で中継し、前記第１表示信号を前記第２処理部から前記第１処理部に向かって転送し、前記第１入力信号を前記第１処理部から前記第２処理部に向かって転送する室内通信中継装置と、
を備えたことを特徴とする室内通信システム。
【請求項４】
車両に設けられ、前記車両の走行制御装置に関する情報、前記車両の運転補助装置に関する情報、及び、前記車両の車体状態に関する情報の少なくともいずれかを含む車両情報を入手する車両情報入手部と、
前記車両の室内に持ち込まれ、
表示部と、
入力部と、
前記室内の外との通信を行う通信部と、
前記表示部と、前記入力部と、前記通信部と、を制御する処理部と、
を有する携帯情報端末と、
前記車両情報入手部と前記携帯情報端末との間の通信を前記室内で中継し、前記車両情報入手部によって入手された前記車両情報を、前記車両情報入手部から前記処理部に向かって転送する室内通信中継装置と、
を備えたことを特徴とする室内通信システム。
【請求項５】
室内に設けられ、
第１表示部と、
第１入力部と、
前記第１表示部へ第１表示信号を出力し、前記第１入力部に入力された第１入力信号が入力される第１処理部と、
を有する室内表示装置と、
前記室内に持ち込まれ、
第２表示部と、
第２入力部と、
前記室内の外との通信を行う通信部と、
前記第１表示部へ出力される前記第１表示信号を生成し、第２表示信号を生成して前記第２表示信号を前記第２表示部に出力し、前記通信部の動作を制御し、前記第１入力信号に基づく信号及び前記第２入力部に入力された第２入力信号が入力され、前記第１処理部よりも高い処理機能を有する第２処理部と、
を有する携帯情報端末と、
の間の通信を前記室内に設置される室内通信中継装置により中継して、
前記第１入力信号を前記第１処理部から前記第２処理部に向かって転送し、
前記第１表示信号を前記第２処理部から前記第１処理部に向かって転送し、
前記第１表示部及び前記第２表示部に、前記第１入力信号に基づいた第１表示オブジェクトと、前記第２入力信号に基づき、前記第１表示オブジェクトとは異なる大きさ、形状、色、明るさ及び時間変化の少なくともいずれかを有する第２表示オブジェクトと、を表示することを特徴とする室内通信方法。
【請求項６】
車両の走行制御装置に関する情報、前記車両の運転補助装置に関する情報、及び、前記車両の車体状態に関する情報の少なくともいずれかを含む車両情報を前記車両に設けられた車両情報入手部によって入手し、
前記車両の室内に持ち込まれ、
表示部と、
入力部と、
前記室内の外との通信を行う通信部と、
前記表示部と、前記入力部と、前記通信部と、を制御する処理部と、
を有する携帯情報端末に、前記室内に設置される室内通信中継装置を介して、前記車両情報入手部によって入手された前記車両情報を前記車両情報入手部から前記処理部に向かって転送する室内通信方法。
【発明の詳細な説明】
【技術分野】
【０００１】
本発明は、室内通信用中継装置、室内通信システム及び室内通信方法に関する。
【背景技術】
【０００２】
例えば、車内等の室内に、表示装置などの室内装置が設けられる。一方、車内には、携帯電話などの携帯情報端末を持ち込むことができる。携帯情報端末の機能は急速に継続的に進歩しており、携帯情報端末の機能を有効に活用することで、車内の表示装置をより効率的に利用することが期待できる。
【０００３】
なお、例えば、特許文献１には、車両の通信機能を利用した道路状況の撮像アップロード、ダウンロードシステムに関する技術が公開されている。しかし、この技術は、車両と車両外との通信に関するものであり、車内の表示装置と車内に持ち込まれる携帯情報端末との間の車内通信に関するものではない。
【０００４】
このように、車内などの室内において、携帯情報端末と、室内表示装置などの室内装置と、を接続するための技術は開発されておらず、このための特殊な技術の開発が望まれている。
【先行技術文献】
【特許文献】
【０００５】
【特許文献１】特開２００５−４４８０号公報
【発明の概要】
【発明が解決しようとする課題】
【０００６】
本発明は、室内において携帯情報端末と室内装置とを接続し、携帯情報端末及び室内装置をより効率的に利用するための室内通信用中継装置、室内通信システム及び室内通信方法を提供する。
【課題を解決するための手段】
【０００７】
本発明の一態様によれば、室内に設けられた室内表示装置と、前記室内に持ち込まれる携帯情報端末と、の間の通信を前記室内で中継する室内通信中継装置であって、前記室内表示装置は、第１表示部と、第１入力部と、前記第１表示部へ第１表示信号を出力し、前記第１入力部に入力された第１入力信号が入力される第１処理部と、を有し、前記携帯情報端末は、第２表示部と、第２入力部と、前記室内の外との通信を行う通信部と、前記第１表示部へ出力される前記第１表示信号を生成し、第２表示信号を生成して前記第２表示信号を前記第２表示部に出力し、前記通信部の動作を制御し、前記第１入力信号に基づく信号及び前記第２入力部に入力された第２入力信号が入力され、前記第１処理部よりも高い処理機能を有し、前記第１表示部及び前記第２表示部に、前記第１入力信号に基づいた第１表示オブジェクトと、前記第２入力信号に基づき、前記第１表示オブジェクトとは異なる大きさ、形状、色、明るさ及び時間変化の少なくともいずれかを有する第２表示オブジェクトと、を表示させる第２処理部と、を有し、前記室内通信中継装置は、前記第１表示信号を前記第２処理部から前記第１処理部に向かって転送し、前記第１入力信号を前記第１処理部から前記第２処理部に向かって転送し、前記室内通信中継装置と前記室内表示装置との接続を認証する中継装置被認証部を備えたことを特徴とする室内通信中継装置が提供される。
【０００８】
本発明の別の一態様によれば、車両に設けられた車両情報入手部と、前記車両の室内に持ち込まれる携帯情報端末と、の間の通信を前記室内で中継する室内通信中継装置であって、前記車両情報入手部は、前記車両の走行制御装置に関する情報、前記車両の運転補助装置に関する情報、及び、前記車両の車体状態に関する情報の少なくともいずれかを含む車両情報を入手し、前記携帯情報端末は、表示部と、入力部と、前記室内の外との通信を行う通信部と、前記表示部と、前記入力部と、前記通信部と、を制御する処理部と、を有し、前記室内通信中継装置は、前記車両情報入手部によって入手された前記車両情報を、前記車両情報入手部から前記処理部に向かって転送し、前記室内通信中継装置と前記車両情報入手部との接続を認証する中継装置被認証部を備えたことを特徴とする室内通信中継装置が提供される。
【０００９】
本発明の別の一態様によれば、室内に設けられ、第１表示部と、第１入力部と、前記第１表示部へ第１表示信号を出力し、前記第１入力部に入力された第１入力信号が入力される第１処理部と、を有する室内表示装置と、前記室内に持ち込まれ、第２表示部と、第２入力部と、前記室内の外との通信を行う通信部と、前記第１表示部へ出力される前記第１表示信号を生成し、第２表示信号を生成して前記第２表示信号を前記第２表示部に出力し、前記通信部の動作を制御し、前記第１入力信号に基づく信号及び前記第２入力部に入力された第２入力信号が入力され、前記第１処理部よりも高い処理機能を有し、前記第１表示部及び前記第２表示部に、前記第１入力信号に基づいた第１表示オブジェクトと、前記第２入力信号に基づき、前記第１表示オブジェクトとは異なる大きさ、形状、色、明るさ及び時間変化の少なくともいずれかを有する第２表示オブジェクトと、を表示させる第２処理部と、を有する携帯情報端末と、前記室内表示装置と前記携帯情報端末との間の通信を前記室内で中継し、前記第１表示信号を前記第２処理部から前記第１処理部に向かって転送し、前記第１入力信号を前記第１処理部から前記第２処理部に向かって転送する室内通信中継装置と、を備えたことを特徴とする室内通信システムが提供される。
【００１０】
本発明の別の一態様によれば、車両に設けられ、前記車両の走行制御装置に関する情報、前記車両の運転補助装置に関する情報、及び、前記車両の車体状態に関する情報の少なくともいずれかを含む車両情報を入手する車両情報入手部と、前記車両の室内に持ち込まれ、表示部と、入力部と、前記室内の外との通信を行う通信部と、前記表示部と、前記入力部と、前記通信部と、を制御する処理部と、を有する携帯情報端末と、前記車両情報入手部と前記携帯情報端末との間の通信を前記室内で中継し、前記車両情報入手部によって入手された前記車両情報を、前記車両情報入手部から前記処理部に向かって転送する室内通信中継装置と、を備えたことを特徴とする室内通信システムが提供される。
【００１１】
本発明の別の一態様によれば、室内に設けられ、第１表示部と、第１入力部と、前記第１表示部へ第１表示信号を出力し、前記第１入力部に入力された第１入力信号が入力される第１処理部と、を有する室内表示装置と、前記室内に持ち込まれ、第２表示部と、第２入力部と、前記室内の外との通信を行う通信部と、前記第１表示部へ出力される前記第１表示信号を生成し、第２表示信号を生成して前記第２表示信号を前記第２表示部に出力し、前記通信部の動作を制御し、前記第１入力信号に基づく信号及び前記第２入力部に入力された第２入力信号が入力され、前記第１処理部よりも高い処理機能を有する第２処理部と、を有する携帯情報端末と、の間の通信を前記室内に設置される室内通信中継装置により中継して、前記第１入力信号を前記第１処理部から前記第２処理部に向かって転送し、前記第１表示信号を前記第２処理部から前記第１処理部に向かって転送し、前記第１表示部及び前記第２表示部に、前記第１入力信号に基づいた第１表示オブジェクトと、前記第２入力信号に基づき、前記第１表示オブジェクトとは異なる大きさ、形状、色、明るさ及び時間変化の少なくともいずれかを有する第２表示オブジェクトと、を表示することを特徴とする室内通信方法が提供される。
【００１２】
本発明の別の一態様によれば、車両の走行制御装置に関する情報、前記車両の運転補助装置に関する情報、及び、前記車両の車体状態に関する情報の少なくともいずれかを含む車両情報を前記車両に設けられた車両情報入手部によって入手し、前記車両の室内に持ち込まれ、表示部と、入力部と、前記室内の外との通信を行う通信部と、前記表示部と、前記入力部と、前記通信部と、を制御する処理部と、を有する携帯情報端末に、前記室内に設置される室内通信中継装置を介して、前記車両情報入手部によって入手された前記車両情報を前記車両情報入手部から前記処理部に向かって転送する室内通信方法が提供される。
【発明の効果】
【００１３】
本発明によれば、室内において携帯情報端末と室内装置とを接続し、携帯情報端末及び室内装置をより効率的に利用するための室内通信用中継装置、室内通信システム及び室内通信方法が提供される。
【図面の簡単な説明】
【００１４】
【図１】第１の実施形態に係る室内通信システムの構成を例示する模式図である。
【図２】第１の実施形態に係る室内通信システムの構成を例示する模式図である。
【図３】第１の実施形態に係る室内通信システムの動作を例示するフローチャート図である。
【図４】第１の実施形態に係る室内通信システムの動作を例示する模式図である。
【図５】第１の実施形態に係る室内通信システムの動作を例示するフローチャート図である。
【図６】第２の実施形態に係る室内通信システムの構成を例示する模式図である。
【図７】第３の実施形態に係る室内通信方法を例示するフローチャート図である。
【図８】第４の実施形態に係る室内通信方法を例示するフローチャート図である。
【発明を実施するための形態】
【００１５】
以下に、本発明の各実施の形態について図面を参照しつつ説明する。  
なお、本願明細書と各図において、既出の図に関して前述したものと同様の要素には同一の符号を付して詳細な説明は適宜省略する。
【００１６】
（第１の実施の形態）
本発明の第１の実施形態に係る室内通信システムは、例えば、自動車などの車内で通信を行う車内通信システムに応用できる。以下では、室内が車内である場合として説明する。
【００１７】
図１は、本発明の第１の実施形態に係る室内通信システムの構成を例示する模式図である。  
図２は、本発明の第１の実施形態に係る室内通信システムの構成を例示する模式図である。  
図２に表したように、本実施形態に係る室内通信システム１０は、車内２０ａ（室内２０）に設けられる。室内通信システム１０において、室内表示装置１００と、携帯情報端末２００と、室内通信中継装置３００と、が設けられる。
【００１８】
室内表示装置１００は、例えば、車内２０ａの運転席の前方のダッシュボード２０ｂに格納される。本具体例では、室内表示装置１００は、運転席と助手席との間のダッシュボード２０ｂの部分に格納されている。
【００１９】
携帯情報端末２００は、車内２０ａ（室内２０）に持ち込まれるものであり、車内２０ａの内部だけではなく、車内２０ａの外部にも持ち出せる。携帯情報端末２００には、例えば、携帯電話、携帯型のパーソナルコンピュータ、携帯型のゲーム機など、携帯可能で通信機能を有する種々の電子機器を用いることができる。
【００２０】
室内通信中継装置３００は、車内２０ａ（室内２０）に設置される。室内通信中継装置３００は、室内表示装置１００と携帯情報端末２００との間の通信を車内２０ａ（室内２０）で中継する。本具体例では、ダッシュボード２０ｂに、室内通信中継装置３００と接続される室内通信中継装置接続部１８０（例えば汎用シリアルバスなどのジャック）が設けられており、室内通信中継装置３００が室内通信中継装置接続部１８０に接続される。室内通信中継装置接続部１８０は、室内表示装置１００と接続されており、これにより、室内通信中継装置３００と室内表示装置１００とが接続される。室内通信中継装置３００は、室内通信中継装置接続部１８０から取り外すことが可能であり、車内２０ａ（室内２０）から外に持ち出すことができる。
【００２１】
なお、室内通信中継装置接続部１８０は、車内２０ａの任意の場所に設けることができ、例えば後部座席の周囲に設けても良い。室内通信中継装置接続部１８０は、室内表示装置１００と離れた場所に設けることもできるが、ここではその機能の性質上、便宜的に室内通信中継装置接続部１８０は、室内表示装置１００に含まれるものとする。
【００２２】
なお、室内通信中継装置接続部１８０は、複数の接続口を有することができ、室内通信中継装置３００以外の例えばアンテナ装置や、音楽再生装置、映像再生装置、ナビゲーション用のメモリ装置などを含む任意の装置と接続されることができる。
【００２３】
なお、室内通信中継装置接続部１８０は必要に応じて設けられれば良く、省略しても良い。この場合には、例えば、室内通信中継装置３００は、室内表示装置１００に直接接続される。
【００２４】
室内通信中継装置３００と室内表示装置１００との通信には、有線または無線の任意の手法が適用できる。
【００２５】
一方、室内通信中継装置３００と携帯情報端末２００との通信にも、有線または無線の任意の手法が適用できる。携帯情報端末２００は、車内２０ａにおいて、車内２０ａに搭乗している運転手に保持されることができる。また、助手席や後部座席に搭乗している任意の使用者に保持されていても良い。また、車内２０ａのダッシュボードなどに取り付けられたホルダなどによって保持されても良い。また、携帯情報端末２００を保持するホルダは、フロントガラスの付近、サイドガラスの付近、リアガラスの付近、車両の屋根やピラー、座席の背もたれなどに設けても良い。室内通信中継装置３００と携帯情報端末２００との通信が有線により行われる場合は、このような両者の間の通信がこのようなホルダを介して実施されることができる。
【００２６】
図１に表したように、室内表示装置１００は、室内２０（例えば車内２０ａ）に設けられる。室内表示装置１００は、第１表示部１１０と、第１入力部１２０と、第１表示部１１０へ第１表示信号ＤＳ１を出力し、第１入力部１２０に入力された第１入力信号ＩＳ１が入力される第１処理部１５０と、を有する。なお、室内表示装置１００は音声などを出力する音響出力部１４０をさらに有していても良い。さらに、第１処理部１５０は、音響出力部１４０に入力される音声信号ＡＳ１を制御しても良い。
【００２７】
第１表示部１１０には、例えば、液晶表示パネルや有機ＥＬ表示パネルなどの任意の表示装置を用いることができる。第１入力部１２０には、例えば、第１表示部１１０に付設されたタッチパネルや、キーボードや、任意のボタンなどを用いることができる。また、第１入力部１２０は、音声入力部を含むことができる。第１表示部１１０が入力機能を有する場合（例えばタッチパネル機能を有する場合）は、第１表示部１１０のうちの表示機能を有する部分が第１表示部１１０と見なされ、第１表示部１１０のうちの入力機能を有する部分が第１入力部１２０と見なされる。
【００２８】
第１処理部１５０は、第１表示部１１０に第１表示信号ＤＳ１を出力し、第１入力部１２０から第１入力信号ＩＳ１を受け取る機能を有していれば良く、後述する第２処理部よりも処理機能が低い半導体回路などを用いることができる。
【００２９】
このように、室内表示装置１００は、第１表示部１１０と、第１入力部１２０と、それらと信号を送受する比較的低い処理機能の第１処理部１５０と、の比較的単純な構成と単純な機能と、を有する。
【００３０】
携帯情報端末２００は、室内２０（例えば車内２０ａ）に持ち込まれる。携帯情報端末２００は、第２表示部２１０と、第２入力部２２０と、室内２０（車内２０ａ）の外との通信を行う通信部２３０と、第２処理部１５０と、を有する。
【００３１】
第２表示部２１０にも、例えば、液晶表示パネルや有機ＥＬ表示パネルなどの任意の表示装置を用いることができる。第２入力部２２０にも、例えば、第２表示部２１０に付設されたタッチパネルや、キーボードや、任意のボタンなどの他、種々の速度センサ、加速度センサ、角速度センサ、角加速度センサなどを含むことができる。これにより、携帯情報端末２００に機械的な力を与えて携帯情報端末２００に入力を行うことができる。また、第２入力部２２０は、音声による入力部を含む。
【００３２】
通信部２３０は、例えば、アンテナなどを有し、携帯情報端末２００の外部とのデータ通信や音声通信などを行うことができる。また、通信部２３０は、ＧＰＳ機能を有することができる。第２処理部２５０は、第２処理部２５０と通信部２３０との間で通信データＣＳ２の授受を行い、通信部２３０の動作を制御する。携帯情報端末２００の通信部２３０の機能により、例えば、携帯情報端末２００が持ち込まれている室内２０（車内２０ａ)の位置が特定され、また、必要な地図情報が入手される。
【００３３】
第２処理部２５０は、第１表示部１１０へ出力される第１表示信号ＤＳ１を生成し、第２表示信号ＤＳ２を生成して第２表示信号ＤＳ２を第２表示部２１０に出力する。また、第２処理部２５０は、通信部２３０の動作を制御する。さらに、第２処理部２５０には、第１入力信号ＩＳ１に基づく信号、及び、第２入力部２２０に入力された第２入力信号ＩＳ２が入力される。第２処理部２５０は、第１処理部１５０よりも高い処理機能を有する。第２処理部２５０には、高い処理機能を有する例えば半導体回路を有する中央演算処理装置などを用いることができる。
【００３４】
室内通信中継装置３００は、室内表示装置１００と携帯情報端末２００との間の通信を室内２０（車内２０ａ）で中継する。室内通信中継装置３００は、第２処理部２５０で生成された第１表示信号ＤＳ１を第２処理部２５０から第１処理部１５０に向かって転送する。また、室内通信中継装置３００は、第１入力信号ＩＳ１を第１処理部１５０から第２処理部２５０に向かって転送する。
【００３５】
これにより、室内表示装置１００が、第１表示部１１０と、第１入力部１２０と、それらと信号を送受する比較的低い処理機能の第１処理部１５０と、の比較的単純な構成と、単純な機能と、を有していても、第１処理部１５０よりも高い処理機能の第２処理部２５０によって、第１表示部１１０の動作と第１入力部１２０の動作とが制御でき、室内表示装置１００が高い機能を有しているのと同等の表示及び入力機能が発揮できる。
【００３６】
すなわち、高処理機能の第２処理部２５０により、第１表示信号ＤＳ１が生成され、この第１表示信号ＤＳ１が室内通信中継装置３００を介して、第１処理部１５０を経て第１表示部１１０に供給される。また、室内表示装置１００の第１入力部１２０に入力された第１入力信号ＩＳ１が、第１処理部１５０を経て、室内通信中継装置３００を介して高処理機能の第２処理部２５０に入力される。これにより、高処理機能の第２処理部２５０によって室内表示装置１００の第１表示部１１０及び第１入力部１２０の動作が制御されることができ、室内表示装置１００の第１処理部１５０の処理機能は低くても良い。
【００３７】
室内表示装置１００に含まれる第１処理部１５０の処理機能を低く設計し、室内表示装置１００の構成及び機能を単純化することで、室内表示装置１００の価格を低減でき、また、故障を少なくすることができる。例えば、室内表示装置１００が、自動車などの車内２０ａに設けられる場合には、車内２０ａの付属品とされる室内表示装置１００には、自動車の部品と同等の高い信頼性が要求される。このとき、室内表示装置１００の構成及び機能を単純化させることで、室内表示装置１００において高い信頼性を確保し易くなる。
【００３８】
そして、自動車の使用期間（使用年数）の間に、情報機器の機能が進歩したときにおいても、室内表示装置１００の機能を単純化しておき、室内表示装置１００に接続される種々の装置の機能を充実させることで、進歩する情報機器の機能を室内表示装置１００に容易に適用することができる。すなわち、本具体例においては、携帯情報端末２００に含まれる第２処理部２５０の処理機能が室内表示装置１００に含まれる第１処理部１５０の処理機能よりも高く設定され、携帯情報端末２００の機能の向上を室内表示装置１００に享受させる。室内表示装置１００の構成と機能を単純化させることで、室内表示装置１００の機能の拡張性を向上できる。
【００３９】
このように、本実施形態に係る室内通信システム１０においては、携帯情報端末２００に含まれる第２処理部２５０が、第１表示部１１０へ出力される第１表示信号ＤＳ１を生成すると共に、第２表示部２１０に出力される第２表示信号ＤＳ２を生成する。例えば、第１表示部１１０と第２表示部２１０とに同じ情報を表示させることができる。例えば、第１表示部１１０と第２表示部２１０とに例えば同じ地図情報などを表示させることができる。また、第１表示部１１０と第２表示部２１０とに、それぞれの表示部の特性に適合するように、互いに異なる情報を表示しても良い。このように、第２処理部２５０が、第１表示部１１０へ出力される第１表示信号ＤＳ１を生成すると共に、第２表示部２１０に出力される第２表示信号ＤＳ２を生成すれば、表示される内容は任意である。
【００４０】
そして、第２処理部２５０に、第１入力部１２０に入力された第１入力信号ＩＳ１に基づく信号、及び、第２入力部２２０に入力された第２入力信号ＩＳ２が入力される。
【００４１】
すなわち、室内２０（車内２０ａ）において、２つの表示部と２つの入力部が設けられ、これらが携帯情報端末２００に含まれる第２処理部２５０により制御される。
【００４２】
なお、一般の通信システムにおいて２つのパーソナルコンピュータが互いに接続されることがある。この場合には、それぞれのパーソナルコンピュータに表示部（ディスプレイ装置）と入力部（例えばキーボードやタッチパネル）が設けられ、２つ表示部と２つの入力部が設けられる。しかしながら、この場合には、それぞれのパーソナルコンピュータに中央演算処理装置が設けられ、この中央演算処理装置のそれぞれが、それぞれの表示部に表示信号を供給し、また、入力部からの入力信号を受け取る。
【００４３】
これに対して、本実施形態に係る室内通信システム１０においては、室内２０（車内２０ａ）において、２つの表示部と２つの入力部が設けられ、携帯情報端末２００に含まれる第２処理部２５０が、それぞれの表示部に表示信号を供給し、また、入力部からの入力信号を受け取る。これにより、室内表示装置１００に含まれる第１処理部１５０の処理機能を低く設計でき、高信頼性と、高拡張性と、低価格化と、を実現している。
【００４４】
本実施形態に係る室内通信システム１０においては、例えば、第１入力部１２０と第２入力部２２０とに固有の識別情報が付与される。これにより、第１入力部１２０から入力された情報と、第２入力部２２０から入力された情報と、が、互いに区別される。
【００４５】
そして、第２処理部２５０は、第１表示部１１０及び第２表示部２１０に、第１入力信号ＩＳ１に基づいた第１表示オブジェクトＤＯ１と、第２入力信号に基づいた第２表示オブジェクトＤＯ２と、を表示させる。そして、第２表示オブジェクトＤＯ２は、第１表示オブジェクトＤＯ１とは異なる大きさ、形状、色、明るさ及び時間変化の少なくともいずれかを有する。ここで、時間変化とは、表示オブジェクトの大きさ、形状、色及び明るさに関する時間変化（例えば点滅などを含む）を含む。
【００４６】
例えば、第１表示部１１０と第２表示部２１０とに地図情報を表示するときに、第１表示部１１０と第２表示部２１０とに、実質的に同等の画像を表示させることができる。ここで、実質的に同等とは、第１表示部１１０と第２表示部２１０とで、表示された地図情報の拡大・縮小率が互いに異なる、地図情報のうちで表示されている部分が互いに異なる、色や明るさなどが互いに異なる場合も含んでも良いことを意味している。
【００４７】
そして、第１表示部１１０及び第２表示部２１０に地図情報が表示されているときに、例えば、第１表示部１１０のタッチパネル（第１入力部１２０）の所望の位置をタップして入力すると、その位置に第１表示オブジェクトＤＯ１が表示される。また、第２表示部２１０のタッチパネル（第２入力部２２０）の所望の位置をタップして入力すると、その位置に第２表示オブジェクトＤＯ２が表示される。このとき、第１表示オブジェクトＤＯ１と第２表示オブジェクトＤＯ２とで、形状、色、明るさ及び時間変化の少なくともいずれかを変更することで、第１表示部１１０及び第２表示部２１０に表示された第１表示オブジェクトＤＯ１と第２表示オブジェクトＤＯ２とが、第１入力部１２０及び第２入力部２２０のどちらから入力された情報かを容易に認識できる。なお、例えば、複数の入力部のそれぞれから情報が入力される際に、その入力に伴って、室内表示装置１００に付属される音響出力部１４０から音を発生させても良く、情報が入力されたことが音によっても確認できる。この時の音の特性は任意に設定できる。
【００４８】
このように、例えば、地図などのコンテンツを携帯情報端末２００の第２表示部２１０に表示し、それと同じ表示を室内表示装置１００の第１表示部１１０に表示する。そして、携帯情報端末２００によって地図上の地点にマーキングする操作表示（第２表示オブジェクトＤＯ２）と、室内表示装置１００によって地図上の地点にマーキングする操作表示（第１表示オブジェクトＤＯ１）と、が区別されることで、操作する使用者の意志を表現できる。
【００４９】
例えば、自動車の後部座席の使用者が保持している携帯情報端末２００の第２表示部２１０が地図情報を表示しており、それと同じ地図情報を、室内表示装置１００に表示させることで、後部座席の使用者と運転手とで同じ表示内容（地図情報）を共有できる。そして、後部座席の使用者が携帯情報端末２００の第２入力部２２０を例えばタップすることで、携帯情報端末２００を操作して、地図情報上の所望の位置を指定する。これにより、例えば、地図情報上のその位置に、例えば赤色のマーキングが表示される。一方、運転手は、室内表示装置１００の第１入力部１２０を例えばタップして、それとは異なる位置を指定する。これにより、地図情報のその位置に、例えば青色のマーキングが表示される。  このように、複数の使用者が、同じ情報を共有しながら、それぞれの使用者の意志を互いに異なる表示で表現でき、実用上非常に便利になる。
【００５０】
本実施形態に係る室内通信システム１０においては、複数の表示部と複数の入力部が設けられ、複数の使用者によって、同じ画像が共有され得る。このとき、複数の入力部から入力された情報が区別されずに表示された場合には、複数の使用者のうちの誰から入力されたものであるかが分からないので不便なことがある。
【００５１】
本実施形態においては、複数の入力部のそれぞれから入力された情報を互いに区別でき得る表示オブジェクトで表示することで、複数の使用者のうちの誰から入力されたものかを区別でき、より便利になる。
【００５２】
なお、一般に、１つの中央演算処理装置により、２つの表示装置（例えばディスプレイ）と、２つの入力部（例えばキーボードやタッチパネル）と、を制御するシステムが考えられるが、２つの入力部から入力された情報は互いに区別されずに、表示装置に表示される。このように、同じ表示内容を共有しつつ、２つの入力部（第１入力部１２０及び第２入力部２２０）から入力された情報を区別して表示するシステムは、従来提案されていない。
【００５３】
これに対し、本実施形態においては、２つの入力部（第１入力部１２０及び第２入力部２２０）から入力された情報を区別して表示する構成を採用することで、携帯情報端末２００を操作する使用者と、室内表示装置１００を操作する使用者と、で、それぞれの意志を確認し合いながら情報交換することが可能になる。
【００５４】
なお、第１入力部１２０からの入力及び第２入力部２２０からの入力は、タッチパネルなどによる入力の他、キーボードなどによる文字などの入力の他、カーソルの移動なども含み、任意である。
【００５５】
本実施形態において、室内通信中継装置３００には、第１入力部１２０及び第２入力部２２０の少なくともいずれかから情報が入力されたことを検出する機能を設けても良い。これにより、例えば第１入力部１２０や第２入力部２２０から情報が入力されたことが検出できる。
【００５６】
これにより、例えば色や点滅などの固有の表示状態を有するカーソルが表示され、使用者に次の入力を促すことができる。この表示は、現在入力されている入力部（第１入力部１２０または第２入力部２２０）に表示されることができる。また、この表示は、現在入力されていない方の入力部にも表示されても良い。さらに、入力ごとに音を発生させても良い。
【００５７】
これにより、使用者は、既に入力した文字などの入力が完了し、次の文字を入力できる状態であることが分かり、迅速な入力が可能になり、使いやすくなる。
【００５８】
このように、本実施形態において、例えば、複数の入力部のそれぞれから情報が入力される際に、その入力に伴って、室内表示装置１００に付属される音響出力部１４０から音を発生させても良い。この時、複数の入力部により、発生する音の特性を互いに異ならせることで、複数の使用者のうちの誰から入力されものかを区別でき、より便利になる。例えば、携帯情報端末２００の第２入力部２２０から入力されるとき（例えばタップするとき）のクリック音と、室内表示装置１００の第１入力部１２０から入力されるとき（例えばタップするとき）のクリック音と、を互いに変える。例えば、音の高さ、音色、音の連なり（メロディ）の少なくともいずれかを変更する。これにより、さらに使い易くなる。
【００５９】
本実施形態に係る室内通信システム１０において、室内２０（車内２０ａ）に室内通信中継装置３００が設置され、室内２０に携帯情報端末２００が持ち込まれたときに、例えば、携帯情報端末２００が発信する電波を室内通信中継装置３００が受信して、携帯情報端末２００が室内２０に持ち込まれたことが認識されることができる。また、携帯情報端末２００が室内通信中継装置３００に有線で接続されたときにも、携帯情報端末２００が室内通信中継装置３００に接続されたことが認識される。
【００６０】
そして、例えば、携帯情報端末２００の第２表示部２１０及び室内表示装置１００の第１表示部１１０の少なくともいずれかに、携帯情報端末２００が接続可能になったことを知らせる表示を行うことができる。このとき、例えば、第１入力部１２０及び第２入力部２２０の少なくともいずれかから、室内通信中継装置３００を介した携帯情報端末２００と室内表示装置１００との通信を開始するこることを許可する信号を入力しても良い。
【００６１】
なお、室内２０に複数の携帯情報端末２００が持ち込まれたときに、複数の携帯情報端末２００のうちのいずれに図１に関して説明した室内表示装置１００の制御の動作（第１表示信号ＤＳ１の生成等）を実施させるかを選択する動作を実施しても良い。すなわち、複数の携帯情報端末どうしの間に優先度を設定し、優先とされた携帯情報端末２００に、室内表示装置１００を制御させる。
【００６２】
なお、複数の携帯情報端末２００を使用する場合、複数の携帯情報端末２００のそれぞれの入力部からの入力内容を、互いに区別できる表示オブジェクトにより表示しても良い。すなわち、複数の携帯情報端末のそれぞれの表示オブジェクトの大きさ、形状、色、明るさ及び時間変化の少なくともいずれかを変更することができる。
【００６３】
また、室内２０に複数の携帯情報端末２００が持ち込まれたときに、複数の携帯情報端末２００のうちの１つによって、図１に関して説明した室内表示装置１００の制御の動作（第１表示信号ＤＳ１の生成等）を実施させ、他の１つから出力される音声信号を、室内通信中継装置３００を介して、室内表示装置１００に設けられる音響出力部１４０に、音声信号ＡＳ１として入力しても良い。これにより、複数の携帯情報端末２００のうちの１つによって、室内表示装置１００の第１表示部１１０の表示が制御されつつ、他の１つの携帯情報端末に保存されている音楽ソフトを、室内表示装置１００の音響出力部１４０によって再生することもできる。
【００６４】
なお、本実施形態に係る室内通信システムが、自動車等の車内の通信に用いられる場合、室内表示装置１００は、主に運転手が操作することになる。従って、自動車等が走行中である運転中に室内表示装置１００の第１入力部１２０からの入力機能を停止する機能を設けても良い。この制御機能は、室内表示装置１００に設けても良い。また、この制御機能は、携帯情報端末２００に設けても良い。この場合には、例えば、自動車等に設けられる車速検出器からの出力を、例えば、室内通信中継装置３００を介して、携帯情報端末２００に入力し、携帯情報端末２００から第１入力部１２０の入力機能の停止を制御する。また、例えば、第１表示部１１０の第１入力部１２０における入力機能が停止されていることを表示しても良い。
【００６５】
このような室内通信システム１０において、安全な動作を確保するために、室内通信中継装置３００は、室内通信中継装置３００と室内表示装置１００との接続を認証する中継装置被認証部３１０ｂを備えることができる。
【００６６】
中継装置被認証部３１０ｂは、例えば、室内通信中継装置３００と室内表示装置１００との間の接続を許可または遮断するために用いられる。これにより、高い信頼性が要求される車内２０ａに設けられる室内表示装置１００に、不適性で不安全な室内通信中継装置３００が接続されることを抑制でき、高い信頼性の室内表示装置１００の動作を確保できる。
【００６７】
例えば、中継装置被認証部３１０ｂは、例えば中継装置記憶部を有する。中継装置記憶部は、例えば、アクセス制限が設けられた保護記憶領域を有し、この保護記憶領域に、暗号化され予め定められた暗号化認証鍵に関するデータが格納される。
【００６８】
一方、室内表示装置１００は、室内表示認証部１６０ａを有することができる。室内表示認証部１６０ａは、例えば、認証機器記憶部と、認証機器制御部と、認証機器演算部と、を有することができる。認証機器記憶部は、例えば、予め定められた復号対象のデータである暗号化符帳と、暗号化符帳を正規の認証鍵によって復号したときに得られるデータである正解符帳と、を格納する。認証機器制御部は、認証機器記憶部から暗号化認証鍵を読みだし、復号して認証鍵を得る。認証機器演算部は、認証鍵により暗号化符帳を復号して得られる復号化符帳と正解符帳とが一致するときに認証対象機器（この例では、室内通信中継装置３００）との協働動作を許可する。
【００６９】
このように、室内通信中継装置３００に、室内通信中継装置３００と室内表示装置１００との接続を認証する中継装置被認証部３１０ｂを設け、室内表示装置１００に、室内表示認証部１６０ａを設けることで、室内表示装置１００に、不適正で不安全な室内通信中継装置３００が接続されることを抑制でき、高い信頼性の室内表示装置１００の動作を確保できる。
【００７０】
なお、室内表示認証部１６０ａは、室内表示装置１００の本体の内部に設けられても良く、便宜的に室内表示装置１００に含まれると見なされる室内通信中継装置接続部１８０に設けても良い。
【００７１】
また、室内通信システム１０の安全な動作をさらに確保するために、室内通信中継装置３００は、携帯情報端末２００と室内通信中継装置３００との接続を認証する中継装置認証部３１０ａをさらに備えることができる。
【００７２】
中継装置認証部３１０ａは、例えば、認証機器記憶部と、認証機器制御部と、認証機器演算部と、を有することができる。認証機器記憶部は、例えば、予め定められた復号対象のデータである暗号化符帳と、暗号化符帳を正規の認証鍵によって復号したときに得られるデータである正解符帳と、を格納する。認証機器制御部は、認証機器記憶部から暗号化認証鍵を読みだし、復号して認証鍵を得る。認証機器演算部は、認証鍵により暗号化符帳を復号して得られる復号化符帳と正解符帳とが一致するときに認証対象機器（この例では、携帯情報端末２００）との協働動作を許可する。
【００７３】
そして、携帯情報端末２００は、携帯情報端末２００と室内通信中継装置３００との接続を認証する携帯情報端末被認証部２６０ｂを有する。
【００７４】
携帯情報端末被認証部２６０ｂは、例えば、携帯情報端末２００と室内通信中継装置３００との間の接続を許可または遮断するために用いられる。これにより、高い信頼性が要求される車内２０ａに設けられる室内表示装置１００に、不適性で不安全な携帯情報端末２００が接続されることを抑制でき、高い信頼性の室内表示装置１００の動作を確保できる。
【００７５】
例えば、携帯情報端末被認証部２６０ｂは、例えば携帯情報端末記憶部を有する。携帯情報端末記憶部は、アクセス制限が設けられた保護記憶領域を有し、この保護記憶領域に、暗号化され予め定められた暗号化認証鍵に関するデータが格納される。
【００７６】
このように、携帯情報端末２００に、携帯情報端末２００と室内通信中継装置３００との接続を認証する携帯情報端末被認証部２６０ｂを設け、室内通信中継装置３００に、中継装置認証部３１０ａを設けることで、室内通信中継装置３００を介して室内表示装置１００に、異なるメーカの種々の携帯情報端末２００や最新の携帯情報端末２００を安全に接続できる。これにより、高い信頼性の室内表示装置１００の動作を確保できる。
【００７７】
このように、本実施形態に係る室内通信中継装置３００は、室内２０に設けられた室内表示装置１００と、室内２０に持ち込まれる携帯情報端末１００と、の間の通信を中継し、室内２０に設置される。室内表示装置１００は、第１表示部１１０と、第１入力部１２０と、第１表示部１１０へ第１表示信号ＤＳ１を出力し、第１入力部１２０に入力された第１入力信号ＩＳ１が入力される第１処理部１５０と、を有する。携帯情報端末２００は、第２表示部２１０と、第２入力部２２０と、室内２０の外との通信を行う通信部２３０と、第２処理部２５０と、を有する。第２処理部２５０は、第１表示部１１０へ出力される第１表示信号ＤＳ１を生成し、第２表示信号ＤＳ２を生成して第２表示信号ＤＳ２を第２表示部２２０に出力し、通信部２３０の動作を制御し、第１入力信号ＤＳ１に基づく信号及び第２入力部２２０に入力された第２入力信号ＩＳ２が入力され、第１処理部１５０よりも高い処理機能を有する。第２処理部２５０は、第１表示部１１０及び第２表示部２１０に、第１入力信号にＩＳ１に基づいた第１表示オブジェクトＤＯ１と、第２入力信号ＩＳ２に基づき、第１表示オブジェクトＤＯ１とは異なる大きさ、形状、色、明るさ及び時間変化の少なくともいずれかを有する第２表示オブジェクトＤＯ２と、を表示させる。  室内通信中継装置３００は、第１表示信号ＤＳ１を第２処理部２５０から第１処理部１５０に向かって転送し、第１入力信号ＩＳ１を第１処理部１５０から第２処理部２５０に向かって転送し、室内通信中継装置３００と室内表示装置１００との接続を認証する中継装置被認証部３１０ｂを備える。
【００７８】
本実施形態に係る室内通信システム１０において、携帯情報端末２００の仕様は任意である。携帯情報端末２００は、例えば通信キャリアごとに異なる通信システムが適用されても良く、また、性能の進化に伴って、種々の仕様を有していても良い。このとき、室内通信中継装置３００は、種々の仕様を有する携帯情報端末２００の接続仕様に適合させることで、任意の携帯情報端末２００と室内表示装置１００との接続を実現できる。
【００７９】
例えば車内２０ａに設けられる室内表示装置１００を、進化する携帯情報端末２００の仕様に追従させて適合させるのは実用的に非常に困難である。このとき、携帯情報端末２００の種々の仕様に適合可能な室内通信中継装置３００を介して、携帯情報端末２００と室内表示装置１００とを接続することで、任意の携帯情報端末２００を室内表示装置１００に接続できる。
【００８０】
室内通信中継装置３００が、携帯情報端末２００の複数の仕様に適合するようにしても良く、また、１つの室内通信中継装置３００が、１つの携帯情報端末２００の仕様に適合するようにしても良い。後者の場合は、携帯情報端末２００の所用者が、その携帯情報端末２００に適合する室内通信中継装置３００を車内２０ａに持ち込むことで、その携帯情報端末２００と室内表示装置１００とを接続できる。また、室内通信中継装置３００内に設けられる記憶装置に、例えば、携帯情報端末２００ごとに異なる仕様のソフトウエアを格納することで、例えば、携帯情報端末２００のバージョンアップに室内通信中継装置３００を連動させることができる。
【００８１】
このように、本実施形態に係る室内通信システム１０及び室内通信中継装置３００によれば、携帯情報端末２００のそれぞれに固有の接続仕様を室内通信中継装置３００で吸収できる。これにより、携帯情報端末２００に対応する室内通信中継装置３００を用意すれば、例えば、室内２０（車内２０ａ）に設けられる室内表示装置１００の接続仕様が、使用したい携帯情報端末２００の接続仕様に対応していなくても携帯情報端末２００と室内表示装置１００との接続が可能になり、便利になる。すなわち、室内表示装置１００が室内通信中継装置３００に対応していれば、室内通信中継装置３００を介して任意の携帯情報端末２００と室内表示装置１００とを接続できる。
【００８２】
また、携帯情報端末２００の機能が進化し、高速な無線デバイスや有線デバイスとの接続がサポートされる場合も、そのデバイスをサポートした仕様の室内通信中継装置３００を用意すれば、室内２０（車内２０ａ）に設けられる室内表示装置１００と、携帯情報端末２００に接続されたそのデバイスと、を接続することができる。このとき、そのデバイスに対応した室内通信中継装置３００を開発するだけで良く（場合によっては、室内通信中継装置３００のソフトウエアのバージョンアップだけで良く）、短い開発期間で、新しいデバイスを実用化することができる。
【００８３】
これにより、自動車などの車内２０ａに搭載される室内表示装置１００の機能を携帯情報端末２００及びそれに接続される種々の機器の進化に実質的に追従させることができる。また、例えば、自動車メーカや自動車の車種によって情報の入出力の仕様が異なる場合においても、室内通信中継装置３００によって接続仕様の変換を行うことができ、任意の携帯情報端末２００と、例えば自動車等に設けられる任意の室内表示装置１００と、を接続できる。
【００８４】
図３は、本発明の第１の実施形態に係る室内通信システムの動作を例示するフローチャート図である。  
図３に例示したように、携帯情報端末２００が無線または有線によって室内通信中継装置３００と接続され、例えば上記のような認証を行い、携帯情報端末２００と室内通信中継装置３００との通信が開始する（ステップＳ１１１）。例えば、室内表示装置１００に携帯情報端末２００を示すアイコンが表示され、使用者（例えば運転手）が、携帯情報端末２００を選択すると、その携帯情報端末２００による室内表示装置１００の制御が開始される。
【００８５】
このとき、携帯情報端末２００の表示方向が固定される（ステップＳ１１２）。  
すなわち、一般に、携帯情報端末２００の第２表示部２１０の画面は正方形ではなく、長辺と短辺とを有する長方形である。携帯情報端末２００は使用者の手に保持された状態で使用されることが多いため、携帯情報端末２００の本体の向き（例えば重力の方向を基準にした向き）に従って第２表示部２１０の表示内容の上下方向と左右方向とを変更することが行われる。
【００８６】
これに対し、室内表示装置１００の第１表示部１１０は、一般に使用者から見て横方向が長い長方形であることが多い。このため、携帯情報端末２００によって、室内通信中継装置３００を介して、室内表示装置１００の第１表示部１１０に情報を表示する際には、第１表示部１１０の画面の方向に適合するように第２表示部２１０に表示させる情報の方向を固定させる。
【００８７】
すなわち、横長である第１表示部１１０に合わせて、第２表示部２１０を横長方向状態で見たときに表示された内容が正常に見えるように、第２表示部２１０の表示方向を固定させる。
【００８８】
これにより、携帯情報端末２００の保持状態が変化したときにも、第２表示部２１０及び第１表示部１１０の表示方向が見易い方向に固定されるため、使い易くなる。
【００８９】
なお、例えば、室内通信中継装置３００からの信号によって、携帯情報端末２００の上記の動作（表示方向の固定）が制御されても良く、また、携帯情報端末２００が室内通信中継装置３００と接続されたことを携帯情報端末２００が認識し、携帯情報端末２００が第２表示部２１０の表示を固定しても良い。
【００９０】
図４は、本発明の第１の実施形態に係る室内通信システムの動作を例示する模式図である。  
すなわち、図４（ａ）は、携帯情報端末２００の動作の例を示し、図４（ｂ）は、室内表示装置１００の動作の例を示している。  
図５は、本発明の第１の実施形態に係る室内通信システムの動作を例示するフローチャート図である。  
本具体例は、携帯情報端末２００と室内表示装置１００のそれぞれに適切な入力方法を適用した動作が行われる例である。
【００９１】
図４（ａ）に表したように、携帯情報端末２００の第２入力部２２０は、例えば、第２表示部２１０に積層されたタッチパネル２２１等と、例えば、第２表示部２１０の周囲に設けられた操作ボタン２２２等と、を有することができる。なお、第２入力部２２０は、さらに、例えば携帯情報端末２００に内蔵された加速度センサなどによって携帯情報端末２００の本体に与えられる力によって、表示画面内容の切り替えなどの処理命令などを入力することができる。このように、携帯情報端末２００の第２入力部２２０は、種々の構成及び種々の方式を含むことができる。このような第２入力部２２０により入力された文字情報２１０ａなどが、第２表示部２１０の画面上に表示される。
【００９２】
図４（ｂ）に表したように、例えば車内２０ａなどに設けられる室内表示装置１００の第１入力部１２０には、例えば第１表示部１１０に積層されたタッチパネル１２１などが用いられる。室内表示装置１００は、運転手が操作することなどを考慮して、単純な構成及び方式が適用されることが多い。そして、単純な入力方式が適用された第１入力部１２０によって入力された文字情報１１０ａなどが第１表示部１１０に表示される。
【００９３】
このとき、例えば、携帯情報端末２００の第２入力部２２０の入力方式と同じ入力方式を、室内表示装置１００の第１入力部１２０に適用すると使い難いことが多い。
【００９４】
これに対し、図４（ａ）及び（ｂ）に例示したように、本実施形態に係る室内通信システム１０においては、携帯情報端末２００と室内表示装置１００のそれぞれに適切な入力方法が適用される。
【００９５】
すなわち、本実施形態に係る室内通信システムにおいては、既に説明したように、例えば地図情報などの同じ情報を第１表示部１１０及び第２表示部２１０に表示する機能の他に、例えば、目的地などの名称を入力するときなどの文字入力動作の際には、第１表示部１１０と第２表示部２１０とに互いに異なる画像が表示される。異なる画像に基づいて、そして、第１入力部１２０及び第２入力部２２０のそれぞれに適切な方式で文字情報などの入力が行われる。これにより、携帯情報端末２００及び室内表示装置１００のそれぞれで効率的な文字入力動作が可能となる。
【００９６】
例えば、図５に表したように、使用者が第１入力部１２０及び第２入力部２２０の少なくともいずれかを操作する（ステップＳ１２１）。例えば、使用者が、第１入力部１２０であるタッチパネル１２１の入力フィールドの所望の位置をタップする。また、使用者が、第２入力部２２０であるタッチパネル２２１の入力フィールドの所望の位置をタップする。
【００９７】
そして、図５に表したように、操作された入力部が室内表示装置１００側の第１入力部１２０であるかどうかを判定する（ステップＳ１２２）。なお、操作された入力部が携帯情報端末２００側の第２入力部２２０であるかどうかを判定しても良い。操作された入力部が室内表示装置１００側の第１入力部１２０である場合は、室内表示装置１００の第１表示部１１０に、例えば図４（ｂ）に例示した室内表示装置用入力画面を表示する（ステップＳ１２３）。そうでない場合は（操作された入力部が携帯情報端末２００側の第２入力部２２０である場合）は、携帯情報端末２００の第２表示部２１０に、例えば図４（ａ）に例示した携帯情報端末用入力画面を表示する（ステップＳ１２４）。そして、使用者が、第１入力部１２０及び第２入力部２２０の少なくともいずれかから入力操作を行う（ステップＳ１２５）。その後、入力の操作が終了したら、元の画面に戻す（ステップＳ１２６）。
【００９８】
このようにして、異なる画像を用いて、第１入力部１２０及び第２入力部２２０のそれぞれに適切な方式で文字情報などの入力が行われる。
【００９９】
上記のステップＳ１２２〜Ｓ１２６は、例えば、室内通信中継装置３００及び携帯情報端末２００の少なくともいずれかによって実施されることができる。
【０１００】
なお、上記のステップＳ１２５において、例えば第１入力部１２０からの入力操作が行われている間は、第２入力部２２０からの入力操作を禁止する動作を行っても良い。また、例えば第２入力部２２０からの入力操作が行われている間は、第１入力部１２０からの入力操作を禁止する動作を行っても良い。
【０１０１】
上記において、携帯情報端末２００が室内通信中継装置３００と接続されたときに、携帯情報端末２００が有している文字入力ソフトウエアを、室内２０（車内２０ａ）で使用するときにより適した文字入力ソフトウエアに入れ替えて使用することもできる。例えば室内表示装置１００に対してより適合する文字入力ソフトウエアが、室内表示装置１００から、室内通信中継装置３００を介して携帯情報端末２００に供給される。また、室内通信中継装置３００がこの室内表示装置１００に対してより適合する文字入力ソフトウエアを有しており、このソフトウエアが室内通信中継装置３００から携帯情報端末２００に供給される。
【０１０２】
さらに、携帯情報端末２００が室内通信中継装置３００に接続されたときに、携帯情報端末２００に格納されている種々のデータの例えばフォルダの一覧を、室内表示装置１００の第１表示部１１０に表示させることができる。そして、例えば、室内表示装置１００の第１表示部１１０に積層された第１入力部１２０から、表示されたフォルダのなかから所望のフォルダを選択し、例えば、所望の地図情報を表示させ、また、所望の音楽などを再生することができる。
【０１０３】
このように、携帯情報端末２００に格納されている種々のデータを、第１入力部１２０から選択する機能を付与することで、その車両を携帯情報端末２００ごとに、カスタマイズすることができる。例えば、車両を複数の使用者によって共同で利用する場合などに、複数の使用者のそれぞれが携帯情報端末を所有し、その携帯情報端末を利用して上記の動作を実施することで、非常に便利になる。
【０１０４】
また、例えば、携帯情報端末２００が室内通信中継装置３００に接続されたときに、携帯情報端末２００の固有の識別番号を認識し、その携帯情報端末２００を室内２０（車内２０ａ）に持ち込んだ使用者を特定することができる。携帯情報端末２００の所有者である使用者を認識することで、例えば、その使用者に適した座席の位置や背もたれの角度、種々のミラーの位置などを調整することができる。また、その使用者が好む音楽を再生し、好む放送を受信することでもきる。例えば、携帯情報端末２００の予め定められた特定のデータエリアに格納されている例えばＩＤ３タグ情報（ジャンルなど）を検出し、これを評価することで、携帯情報端末２００の所有者の好む音楽を再生することができる。
【０１０５】
また、携帯情報端末２００の所有者である使用者を特定して、例えば、その使用者が車両を運転しているときの車両の運転状況などの種々のデータを蓄積し、この使用者に適合した車両の制御や、車両の操作に関する支援を行うこともできる。
【０１０６】
なお、室内通信中継装置３００は、例えばマイクロフォンなどの音声入力装置やスピーカ等の音声出力装置を含んでも良い。例えば、室内通信中継装置３００に音声入力装置を設けることで、室内２０（車内２０ａ）の使用者が音声入力を行い、ハンズフリーの種々の操作を実施することもできる。
【０１０７】
音声入力の機能は継続的に進歩しており、車両などに設けられる室内表示装置１００をこの進歩に追従させることは実用上困難である。これに対し、例えば、室内２０から外に持ち出すことが可能な室内通信中継装置３００に音声入力機能を持たすことで、室内通信中継装置３００の音声入力機能は容易にバージョンアップすることができる。
【０１０８】
なお、室内通信中継装置３００に、例えばマイクロフォンなどの音声入力装置を設ける場合、室内通信中継装置３００における音声入力装置の指向性の方向が変更できるように設計できる。例えば、室内通信中継装置３００の、ダッシュボード２０ｂなどに設けられる室内通信中継装置接続部１８０に接続される部分に対して、室内通信中継装置３００の音声入装置の位置が例えば回転可能とされる。これにより、室内２０の所望の位置にいる使用者の音声が効果的に入力される。
【０１０９】
（第２の実施の形態）  
図６は、本発明の第２の実施形態に係る室内通信システムの構成を例示する模式図である。  
図６に表したように、本実施形態に係る室内通信システム１１は、車内２０ａで用いられる。室内通信システム１１は、車両に設けられた車両情報入手部４００をさらに備える。車両情報入手部４００は、車両に関する車両情報を入手する。車両情報入手部４００が設けられる場所は、車両に搭乗する人のための室内に限らず、車両の車体内の任意の場所で良く、例えばエンジン格納部や荷物室（トランク）なども含む。
【０１１０】
車両情報は、その車両の走行制御装置に関する情報、車両の運転補助装置に関する情報、及び、車両の車体状態に関する情報の少なくともいずれかを含む。
【０１１１】
車両の走行制御装置に関する情報は、例えば、車両の速度、車両の速度の変化（車両の加速及び減速の少なくともいずれを含む）、車両の重量（例えば車両に搭乗する人及び積載する荷物などの重量を含んでも良い）、車両の動力（エンジン及びモータなど）の状態、車両の燃料の状態、車両のバッテリーの状態、及び、車両の操舵装置（ハンドル）の状態、及び、車両のブレーキの状態の少なくともいずれかを含む。
【０１１２】
上記の各走行制御装置の状態とは、その装置自身の状態の他に、車両を操作する運転手による走行制御装置の操作状態（使用状態）なども含む。なお、車両の速度、車両の速度の変化及び車両の重力は、走行制御装置全体の特性と見なすことができるため、便宜的に走行制御装置の状態と見なすことにする。
【０１１３】
車両の運転補助装置に関する情報は、例えば、車両の種々のランプの状態、車両のミラーの状態、車両のシートの状態、車両のワイパーの状態、及び、車両の空調機（エアコンディショナ）の状態の少なくともいずれかを含む。上記の各運転補助装置の状態とは、その装置自身の状態の他に、運転手による運転補助装置の操作状態（使用状態）なども含む。
【０１１４】
車両の車体状態に関する情報は、例えば、車両のドアの開閉状態、及び、車両の荷物室（トランク）の扉の状態の少なくともいずれかを含む。  
このように、車両情報は、車両に固有な情報である。
【０１１５】
車両情報入手部４００は、室内通信システム１１が搭載される車両に関する上記の車両情報を入手する。車両情報入手部４００は、これら種々の車両情報を計測する測定部からこれらの車両情報を入手し、必要に応じて車両情報入手部４００の記憶装置に格納する。
【０１１６】
このような車両情報を入手して利用することにより、車両のより有効な使用が可能となる。例えば、省エネルギー化などの車両のより適正な運転操作のために、車両情報は有効に活用され得る。また、特にタクシーや貨物自動車等の営業用の車両において車両のより適正な運転を管理する上でも、車両情報は有効に活用され得る。
【０１１７】
車両情報入手部４００から車両情報を入手する際に、車両情報入手部４００の接続仕様や車両情報の出力形式などが、自動車メーカや車種ごとに異なっていると使い難く、車両情報の活用による運転操作の適正化の実用化の妨げになり易い。
【０１１８】
本実施形態に係る室内通信中継装置３００は、車両情報入手部４００と携帯情報端末２００との間の通信を室内２０で中継する。なお、この場合の通信の範囲は、車両内であれば良く、車両に搭乗する人のための室内に限らない。例えば、車両情報入手部４００がエンジン格納部に設けられる場合には、エンジン格納部も含めた車内の範囲内における、車両情報入手部４００と携帯情報端末２００との間の通信を室内通信中継装置３００は中継する。  
車両情報入手部４００は、車両に設けられ、車両の走行制御装置に関する情報、車両の運転補助装置に関する情報、及び、車両の車体状態に関する情報の少なくともいずれかを含む車両情報を入手する。
【０１１９】
携帯情報端末２００は、上記の車両の室内２０に持ち込まれる。携帯情報端末２００は、表示部（第２表示部２１０）と、入力部（第２入力部２２０）と、室内の外との通信を行う通信部２３０と、表示部と入力部と通信部とを制御する処理部（第２処理部２５０）と、を有する。
【０１２０】
室内通信中継装置３００は、上記の室内２０（車内２０ａ）に設置される。室内通信中継装置３００は、車両情報入手部４００によって入手された車両情報を、車両情報入手部４００から処理部（第２処理部２５０）に向かって転送する。
【０１２１】
これにより、自動車メーカや車種ごとに異なった仕様の車両情報を、任意の携帯情報端末２００に転送できる。これにより、携帯情報端末２００の使用者は、自動車メーカや車種の違いによる車両情報の仕様の差異を意識せずに、車両情報を利用した種々のアプリケーションソフトを使用できる。また、このようなアプリケーションソフトの開発の際にも、車両情報の仕様の差を実質に考慮しなくて良くなるので開発期間を短縮でき開発費を抑制できる。
【０１２２】
そして、室内通信中継装置３００は、室内通信中継装置３００と車両情報入手部４００との接続を認証する中継装置被認証部３１０ｂを備えることができる。中継装置被認証部３１０ｂは、既に説明したのと同様の構成を有することができる。
【０１２３】
また、車両情報入手部４００は、車両情報認証部４６０ａを有することができる。車両情報認証部４６０ａは、既に説明した室内表示装置１００の室内表示認証部１６０ａと同様の構成を有することができる。
【０１２４】
このように、室内通信中継装置３００に中継装置被認証部３１０ｂを設け、車両情報入手部４００に車両情報認証部４６０ａを設けることで、車両情報入手部４００に、不適正で不安全な室内通信中継装置３００が接続されることを抑制でき、高い信頼性の車両情報入手部４００の動作を確保できる。
【０１２５】
また、このような室内通信システム１０の安全な動作を確保するために、室内通信中継装置３００は、携帯情報端末２００と室内通信中継装置３００との接続を認証する中継装置認証部３１０ａをさらに備え、携帯情報端末２００は、携帯情報端末２００と室内通信中継装置３００との接続を認証する携帯情報端末被認証部２６０ｂをさらに備えることができる。これらの構成に関しては既に説明したのと同じ構成を適用できる。
【０１２６】
なお、本実施形態においても、室内通信中継装置３００は、室内２０（車内２０ａ）に設けられる室内表示装置１００の室内通信中継装置接続部１８０に接続され、室内通信中継装置３００と車両情報入手部４００との通信が実施される。なお、本実施形態においては、室内表示装置１００は必要に応じて設けられれば良く、室内通信中継装置接続部１８０は、車内２０ａの任意の場所に設けることができる。
【０１２７】
このように、本実施形態に係る室内通信中継装置３００は、車両に設けられた車両情報入手部４００と、車両の室内２０に持ち込まれる携帯情報端末２００と、の間の通信を中継し、室内２０に設置される。車両情報入手部４００は、車両の走行制御装置に関する情報、車両の運転補助装置に関する情報、及び、車両の車体状態に関する情報の少なくともいずれかを含む車両情報を入手する。携帯情報端末２００は、表示部と、入力部と、室内の外との通信を行う通信部と、表示部と、入力部と、通信部と、を制御する処理部１５０と、を有する。室内通信中継装置３００は、車両情報入手部４００によって入手された車両情報を、車両情報入手部４００から処理部に向かって転送し、室内通信中継装置３００と車両情報入手部４００との接続を認証する中継装置被認証部３１０ｂを備える。
【０１２８】
なお、本実施形態においては、室内表示装置１００は必要に応じて設けられれば良い。室内表示装置１００が設けられず、車内２０ａに室内通信中継装置接続部１８０が設けられ、この室内通信中継装置接続部１８０によって、車両情報入手部４００と室内通信中継装置３００とが接続される場合には、室内通信中継装置接続部１８０を車両情報入手部４００の一部と見なすことができる。
【０１２９】
この場合に、車両情報認証部４６０ａは、車両情報入手部４００の本体の内部に設けても良く、便宜的に車両情報入手部４００に含まれるもの見なされる室内通信中継装置接続部１８０に設けても良い。
【０１３０】
なお、本実施形態に係る室内通信システム１１において、室内２０に既に説明した室内表示装置１００をさらに設け、室内表示装置１００、携帯情報端末２００及び室内通信中継装置３００における種々の動作を実施しても良く、既に説明したのと同様の効果が得られる。
【０１３１】
（第３の実施の形態）  
図７は、本発明の第３の実施形態に係る室内通信方法を例示するフローチャート図である。  
図７に表したように、本実施形態に係る室内通信方法は、室内２０に設けられ、第１表示部１１０と、第１入力部１２０と、第１表示部１１０へ第１表示信号ＤＳ１を出力し、第１入力部１２０に入力された第１入力信号ＩＳ１が入力される第１処理部１５０と、を有する室内表示装置１００と、室内２０に持ち込まれ、第２表示部２１０と、第２入力部２２０と、室内２０の外との通信を行う通信部２３０と、第１表示部１１０へ出力される第１表示信号ＤＳ１を生成し、第２表示信号ＤＳ２を生成して第２表示信号ＤＳ２を第２表示部２１０に出力し、通信部２３０の動作を制御し、第１入力信号ＩＳ１に基づく信号及び第２入力部２２０に入力された第２入力信号ＩＳ２が入力され、第１処理部１５０よりも高い処理機能を有する第２処理部２５０と、を有する携帯情報端末２００と、の間の通信を室内２０に設置される室内通信中継装置３００により中継して、以下を行う。
【０１３２】
第１入力信号ＩＳ１を第１処理部１５０から第２処理部２５０に向かって転送する（ステップＳ２１１）。  
そして、第１表示信号ＤＳ１を第２処理部２５０から第１処理部１５０に向かって転送する（ステップＳ２１２）。  
そして、第１表示部１１０及び第２表示部２１０に、第１入力信号ＩＳ１に基づいた第１表示オブジェクトＤＯ１と、第２入力信号ＩＳ２に基づき、第１表示オブジェクトＤＯ１とは異なる大きさ、形状、色、明るさ及び時間変化の少なくともいずれかを有する第２表示オブジェクトＤＯ２と、を表示する（ステップＳ２１３）。
【０１３３】
これにより、室内２０において携帯情報端末２００と室内装置（室内表示装置１００）とを接続し、携帯情報端末２００及び室内装置（室内表示装置１００）をより効率的に利用するための室内通信方法が提供できる。
【０１３４】
なお、上記のステップＳ２１１〜Ｓ２１３は技術的に可能な範囲で互いに入れ替えが可能であり、また同時に実施されても良い。  
また、上記の室内通信中継装置３００を用いた通信において、既に説明した認証動作を実施することができ、これにより、種々の仕様の室内通信中継装置３００及び種々の仕様の携帯情報端末２００を室内表示装置１００に安全に接続できる。
【０１３５】
（第４の実施の携帯）  
図８は、本発明の第４の実施形態に係る室内通信方法を例示するフローチャート図である。  
図８に表したように、本実施形態に係る室内通信方法においては、車両の走行制御装置に関する情報、車両の運転補助装置に関する情報、及び、車両の車体状態に関する情報の少なくともいずれかを含む車両情報を車両に設けられた車両情報入手部４００によって入手する（ステップＳ２２１）。
【０１３６】
そして、車両の室内２０に持ち込まれ、表示部（第２表示部２１０）と、入力部（第２入力部２２０）と、室内２０の外との通信を行う通信部２３０と、表示部と、入力部と、通信部と、を制御する処理部（第２処理部２５０）と、を有する携帯情報端末２００に、室内２０に設置される室内通信中継装置３００を介して、車両情報入手部４００によって入手された車両情報を車両情報入手部４００から処理部に向かって転送する（ステップＳ２２２）。
【０１３７】
これにより、室内２０（車内２０ａ）において携帯情報端末２００と室内装置（車両情報入手部４００）とを接続し、携帯情報端末２００及び室内装置（車両情報入手部４００）をより効率的に利用するための室内通信方法が提供できる。
【０１３８】
なお、本実施形態においても、上記の室内通信中継装置３００を用いた通信において、既に説明した認証動作を実施することができ、これにより、種々の仕様の室内通信中継装置３００及び種々の仕様の携帯情報端末２００を車両情報入手部４００に安全に接続できる。
【０１３９】
以上、具体例を参照しつつ、本発明の実施の形態について説明した。しかし、本発明は、これらの具体例に限定されるものではない。例えば、室内通信システムに含まれる室内表示装置、携帯情報端末、室内通信中継装置及び車両情報入手部など、並びに、室内通信中継装置に含まれる中継装置認証部及び中継装置被認証部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１４０】
その他、本発明の実施の形態として上述した室内通信用中継装置、室内通信システム及び室内通信方法を基にして、当業者が適宜設計変更して実施し得る全ての室内通信用中継装置、室内通信システム及び室内通信方法も、本発明の要旨を包含する限り、本発明の範囲に属する。
【０１４１】
その他、本発明の思想の範疇において、当業者であれば、各種の変更例及び修正例に想到し得るものであり、それら変更例及び修正例についても本発明の範囲に属するものと了解される。
【符号の説明】
【０１４２】
１０、１１…室内通信システム、  ２０…室内、  ２０ａ…車内、  ２０ｂ…ダッシュボード、  １００…室内表示装置、  １１０…第１表示部、  １１０ａ…文字情報、  １２０…第１入力部、  １２１…タッチパネル、  １４０…音響出力部、  １５０…第１処理部、  １６０ａ…室内表示認証部、  １８０…室内通信中継装置接続部、  ２００…携帯情報端末、  ２１０…第２表示部、  ２１０ａ…文字情報、  ２２０…第２入力部、  ２２１…タッチパネル、  ２２２…操作ボタン、  ２３０…通信部、  ２５０…第２処理部、  ２６０ｂ…携帯情報端末被認証部、  ３００…室内通信中継装置、  ３１０ａ…中継装置認証部、  ３１０ｂ…中継装置被認証部、  ４００…車両情報入手部、  ４６０ａ…車両情報認証部、  ＡＳ１…音声信号、  ＣＳ２…通信データ、  ＤＯ１…第１表示オブジェクト、  ＤＯ２…第２表示オブジェクト、  ＤＳ１…第１表示信号、  ＤＳ２…第２表示信号、  ＩＳ１…第１入力信号、  ＩＳ２…第２入力信号
【図１】
2011166290.tif 000003
【図２】
2011166290.tif 000004
【図３】
2011166290.tif 000005
【図４】
2011166290.tif 000006
【図５】
2011166290.tif 000007
【図６】
2011166290.tif 000008
【図７】
2011166290.tif 000009
【図８】
2011166290.tif 000010